(57)【特許請求の範囲】
【請求項１】
棒状の導光部材と、
前記導光部材の長さ方向に延び、前記導光部材が収納されたケーシングと、
前記導光部材の長さ方向の端部に向けて光を発する光源とを備え、
前記ケーシングの長さ方向と直交する一方向を前後方向とし、
前記ケーシングは、
前記ケーシングの長さ方向と前後方向との両者に直交する方向の片側の外面であり、設置対象に沿って配置される第１面と、
前記第１面とは反対側を向く外面である第２面と、
前記第２面に形成された光出口部と、
前記光出口部に通じる光路とを備え、
前記導光部材は、
前記導光部材の長さ方向に沿う面であって、前記導光部材の長さ方向の端部から前記導光部材に入った光を出す出光面を備え、
前記出光面は、後方かつ前記第２面側を向き、前記光路を介して前記光出口部に臨み、前記光出口部の後縁部が、前記光出口部の前縁部よりも前記出光面から離れて位置し、前記光路の後側の内面に、前記出光面から出た光の一部を前記光出口部に向かって反射する反射部が設けられたことを特徴とする照明装置。
【請求項２】
請求項１に記載の照明装置の設置構造であって、壁に沿って設けられた吊戸棚の下面に、前記照明装置が前記出光面を前記吊戸棚の下方かつ前記壁側に向けた状態で設けられたことを特徴とする照明装置の設置構造。
【発明の詳細な説明】
【技術分野】
【０００１】
本発明は、照明装置、および照明装置の設置構造に関する。
【背景技術】
【０００２】
特許文献１には、壁面に取り付けられる照明装置が開示されている。この照明装置は、棒状の導光部材と、導光部材の長さ方向の端面に向けて光を発する光源とを備えている。導光部材は、長さ方向に沿う出射面を備えている。導光部材の長さ方向の端面から入射した光は、出射面から出射するように構成されている。この照明装置は、出射面を下方に向けた状態で壁面に取り付けられる。
【先行技術文献】
【特許文献】
【０００３】
【特許文献１】特開２０１４−１７０６８１
【発明の概要】
【発明が解決しようとする課題】
【０００４】
ところで、前記照明装置は、導光部材の出射面から出射した光が直接利用者の目に入り、利用者が眩しく感じる可能性がある。
【０００５】
本発明は前記事情に鑑みてなされたものであって、利用者が導光部材から出た光を眩しく感じにくい照明装置、および照明装置の設置構造を提供することを課題とする。
【課題を解決するための手段】
【０００６】
前記課題を解決するために本発明の照明装置は、棒状の導光部材と、前記導光部材の長さ方向に延び、前記導光部材が収納されたケーシングと、前記導光部材の長さ方向の端部に向けて光を発する光源とを備え、前記ケーシングの長さ方向と直交する一方向を前後方向とし、前記ケーシングは、前記ケーシングの長さ方向と前後方向との両者に直交する方向の片側の外面であり、設置対象に沿って配置される第１面と、前記第１面とは反対側を向く外面である第２面と、前記第２面に形成された光出口部と、前記光出口部に通じる光路とを備え、前記導光部材は、前記導光部材の長さ方向に沿う面であって、前記導光部材の長さ方向の端部から前記導光部材に入った光を出す出光面を備え、前記出光面は、後方かつ前記第２面側を向き、前記光路を介して前記光出口部に臨み、前記光出口部の後縁部が、前記光出口部の前縁部よりも前記出光面から離れて位置し、前記光路の後側の内面に、前記出光面から出た光の一部を前記光出口部に向かって反射する反射部が設けられたことを特徴とする。
【０００７】
また、本発明の照明装置の設置構造は、壁に沿って設けられた吊戸棚の下面に、前記照明装置が前記出光面を前記吊戸棚の下方かつ前記壁側に向けた状態で設けられたことを特徴とする。
【発明の効果】
【０００８】
本発明に係る照明装置は、出光面から光出口部に至った直接光と、出光面から反射部で反射して光出口部に至った間接光とで、設置対象物と反対側を照明することができる。この場合、照明装置の前側は、前記間接光によって明るく照らされる。また、照明装置の前側に居る利用者の目には、前記直接光が入りにくい。このため、利用者は導光部材から出た光を眩しいと感じにくい。
【０００９】
また、本発明に係る照明装置の設置構造では、前記照明装置から出る直接光と間接光によって、吊戸棚の下側を照明することができる。この場合、利用者の居る吊戸棚の下方前側は、前記間接光によって明るく照らされる。また、吊戸棚の前側に居る利用者の目には、前記直接光が入りにくい。従って、利用者は導光部材を眩しいと感じにくい。
【図面の簡単な説明】
【００１０】
【図１】図１は本発明の実施形態の照明装置を示し、長さ方向と直交する面を切断面とした断面図である。
【図２】図２は、前記照明装置の第１面とは反対側から見た斜視図である。
【図３】図３は、前記照明装置の第２面とは反対側から見た斜視図である。
【図４】図４は、吊戸棚に設置された前記照明装置を示した側面図である。
【図５】図５は、キャビネットに設置された前記照明装置を示した側面図である。
【図６】図６は、キャップを省略した前記照明装置の長さ方向の端部の斜視図である。
【発明を実施するための形態】
【００１１】
以下、添付図面に基づいて本発明の実施形態について説明する。図１は本実施形態の照明装置１の断面図である。図２および図３は照明装置１の斜視図である。
【００１２】
照明装置１の設置の対象とされる設置対象８としては、例えば図４に示す吊戸棚８０や、図５に示すキャビネット８１が挙げられる。これら吊戸棚８０およびキャビネット８１は、共に部屋の壁９０に沿って設けられている。なお、図４中符号９１は、吊戸棚８０の下方に設けられたキッチンカウンターである。
【００１３】
図１には、照明装置１の設置対象８と、設置対象８が備えた設置面８２を二点鎖線で示している。
【００１４】
図１に示すように、照明装置１は、棒状の導光部材２と、導光部材２が収納されたケーシング３と、導光部材２の長さ方向Ｄ１の端部に向けて光を発する光源６とを備えている。
【００１５】
以下、導光部材２の長さ方向Ｄ１（図２等参照）と直交する所定の方向を導光部材２の厚さ方向Ｄ２とし、導光部材２の長さ方向Ｄ１および導光部材２の厚さ方向Ｄ２の両者と直交する方向を導光部材２の幅方向Ｄ３として説明する。
【００１６】
導光部材２は、透明なアクリル樹脂から形成されている。なお、導光部材２は、ポリカーボネート樹脂などのその他の透光性を有する材料から形成されてもよい。導光部材２に着色するとカラフルに演出発光をすることも可能となる。
【００１７】
導光部材２は、導光部材２の長さ方向Ｄ１の両端部（詳しくは両端面）のそれぞれで構成された入光部２０（図６参照）と、導光部材２の長さ方向Ｄ１に沿う面（導光部材２の厚さ方向Ｄ２の一方の面）で構成された出光面２１とを備えている。
【００１８】
本実施形態の導光部材２は、図１に示すように、出光面２１とは反対側の端部に設けられた拡散反射部２２を備えている。拡散反射部２２は導光部材２の長さ方向Ｄ１の全長に亘っている。拡散反射部２２は、導光部材２よりも反射率の高い材料から形成されている。導光部材２と拡散反射部２２は、二色成形によって形成され、一体化している。なお、拡散反射部２２は、導光部材２の出光面２１とは反対側の面に印刷や蒸着によって設けられた反射性の物質であってもよい。また、拡散反射部２２は、導光部材２の出光面２１とは反対側の面に設けられた微細な凹凸であってもよい。
【００１９】
拡散反射部２２は、入光部２０から導光部材２に入った光を、出光面２１側に拡散して反射する。すなわち、各入光部２０から導光部材２に入った光は、導光部材２の長さ方向Ｄ１に沿う面で反射しながら反対側の入光部２０に向かって進む。この光は、拡散反射部２２に当たって拡散反射し、この後、出光面２１から導光部材２の外に出る。これにより、出光面２１は、導光部材２の長さ方向Ｄ１の全長に亘って発光する。
【００２０】
出光面２１は、導光部材２の厚さ方向２と略直交しており、拡散反射部２２とは反対側を向いている。
【００２１】
出光面２１は、導光部材２の幅方向Ｄ３の中央に近い部分ほど拡散反射部２２に近づくように湾曲している。このため、導光部材２の出光面２１から出る光は、導光部材２の幅方向Ｄ３の外側に広がりにくい。なお、出光面２１は、導光部材２の幅方向Ｄ３の中央に近い部分ほど拡散反射部２２から離れるように湾曲してもよい。また、出光面２１は、導光部材２の幅方向Ｄ３と平行な平面であってもよい。
【００２２】
ケーシング３は、導光部材２の長さ方向Ｄ１に延びた長形の部材であり、ケーシング３の長さ方向Ｄ４（図２参照）と導光部材２の長さ方向Ｄ１は平行である。
【００２３】
以下、図１に示すように、ケーシング３の長さ方向Ｄ４と直交する一方向をケーシング３の厚さ方向Ｄ５とし、ケーシング３の長さ方向Ｄ４と厚さ方向Ｄ５の両者に直交する方向を前後方向Ｄ６として説明する。また、照明装置１が設置対象８に設置されたときに、照明装置１から見て照明装置１の利用者が位置する側を前側、反対側を後側として説明する。すなわち、ケーシング３の幅方向（ケーシング３の長さ方向Ｄ４と厚さ方向Ｄ５の両者に直交する方向）における一端を第１端４１、反対側の端を第２端４２としたとき、第１端４１が後端となり、第２端４２が前端となる。
【００２４】
ケーシング３は、アルミニウム製であって押出成形により形成されている。なお、ケーシング３は、アルミニウム以外の金属から形成されてもよいし、合成樹脂から形成されてもよい。
【００２５】
ケーシング３は扁平であり、ケーシング３の厚さ方向Ｄ５の寸法は、ケーシング３の前後方向Ｄ６の寸法よりも小さい。
【００２６】
ケーシング３は、ケーシング３の厚さ方向Ｄ５の片側の外面である第１面３１と、第１面３１と反対側を向く第２面３２とを備えている。
【００２７】
ケーシング３は、第１面３１が設置面８２に沿った状態で設置対象８に取り付けられる。このように設置対象８にケーシング３が取り付けられたとき、ケーシング３の第２面３２は、設置面８２と平行になる。
【００２８】
本実施形態のケーシング３には、ケーシング３の厚さ方向Ｄ５において第１面３１側とは反対側に開口した溝部３３が形成されている。溝部３３はケーシング３の長さ方向Ｄ４に亘っている。
【００２９】
溝部３３は、溝奥部を構成する収納部３４と、第２面３２に形成されて溝開口部を構成する光出口部３６と、一端部が収納部３４に通じ他端部が光出口部３６に通じた光路３５とで構成されている。光路３５は、収納部３４と光出口部３６の間に位置している。
【００３０】
収納部３４には導光部材２が収納されている。導光部材２の厚さ方向Ｄ２は、ケーシング３の厚さ方向Ｄ５および前後方向Ｄ６の両者に対して傾いている。
【００３１】
導光部材２の出光面２１は、後方かつ第２面３２側を向き、第２面３２に対して傾いている。出光面２１は、光路３５を介して光出口部３６に臨んでいる。
【００３２】
光出口部３６の前縁部３８と後縁部３７は、ケーシング３の厚さ方向Ｄ５において同じ位置に配されている。光出口部３６の後縁部３７は、導光部材２の厚さ方向Ｄ２において、光出口部３６の前縁部３８よりも出光面２１から離れて位置している。
【００３３】
本実施形態の照明装置１は、カバー１０を備えている。カバー１０は、収納部３４の光路３５側の端部に設けられている。カバー１０は出光面２１に沿った板状の部材である。カバー１０は無色透明であって透光性を有している。出光面２１の光路３５側は、カバー１０で覆われている。このため、出光面２１には傷が付きにくい。また、収納部３４には、塵や埃が侵入しにくい。なお、カバー１０は透光性を有していれば、有色であってもよい。また、カバー１０は省略可能である。
【００３４】
導光部材２の出光面２１から出た光は、カバー１０を透過して光路３５に至る。この光の一部は、光路３５の内面５１，５２に当たることなく、直接光出口部３６からケーシング３の外に出る。
【００３５】
光路３５は、後側の内面である第１の内面５１と、前側の内面である第２の内面５２とを備えている。
【００３６】
ケーシング３は、光出口部３６の後縁部３７とカバー１０の後端部との間に位置する部分４３と、光出口部３６の前縁部３８とカバー１０の前端部との間に位置する部分４４とを備えている。
【００３７】
部分４３と部分４４は、導光部材２の幅方向Ｄ３に離れている。導光部材２の出光面２１を導光部材２の厚さ方向Ｄ２で見たとき、出光面２１は部分４３と部分４４の間に位置する。部分４３は導光部材２の厚さ方向Ｄ２と平行な板状に形成されている。部分４３の部分４４側を向く面で、光路３５の第１の内面５１が構成されている。部分４４の部分４３側を向く面で、光路３５の第２の内面５２が構成されている。
【００３８】
第１の内面５１は、導光部材２の厚さ方向Ｄ２と平行であり、後端に近い部分ほど第２面３２に近づくように傾斜している。
【００３９】
第１の内面５１は、光出口部３６の後縁部３７から導光部材２側に向かってカバー１０まで延びている。第１の内面５１は、第２の内面５２と比べて導光部材２の厚さ方向Ｄ２における長さが長い。
【００４０】
第１の内面５１には、反射部４５が設けられている。本実施形態では、第１の内面５１の全体が、反射部４５になっている。なお、反射部４５は、第１の内面５１の一部のみで構成されてもよい。
【００４１】
反射部４５は第２面３２に対して傾斜している。反射部４５は、前方かつ第２面３２側を向き、光出口部３６に臨んでいる。
【００４２】
反射部４５は銀色であって、反射率が高い。本実施形態では反射部４５がアルミニウム製のケーシング３の表面の一部で構成されており、反射率の高い銀色の粗面となっている。なお、反射部４５の反射率は、ケーシング３の他の表面の反射率よりも高くてもよい。また、反射部４５の色は、反射率の高い色であれば、白色などのその他の色であってもよい。また、反射部４５は平滑な鏡面であってもよい。また、反射部４５は、ケーシング３とは別体の反射率の高い部材で構成されてもよい。
【００４３】
出光面２１からカバー１０を透過して光路３５に入った光の一部は、反射部４５によって前方かつ第２面３２側に向かって反射し、この後、光出口部３６からケーシング３の外に出る。また、出光面２１からカバー１０を透過して光路３５に入った光の別の一部は、第２の内面５２でも反射する。
【００４４】
本実施形態のケーシング３の長さ方向Ｄ４の両端部のそれぞれには、固定部材１１がねじ止めにより取り付けられている。各固定部材１１には、図６に示すように、光源ケース１２がねじ止めにより取り付けられている。各固定部材１１と対応する光源ケース１２の間には、それぞれ回路基板１３が挟まれて固定されている。各回路基板１３の光源ケース１２側の面には、導光部材２の対応する入光部２０に向かって光を発する光源６が実装されている。各光源６は、対応する光源ケース１２に収納されている。
【００４５】
各光源６は発光ダイオードである。なお、各光源６は、有機エレクトロルミネッセンスや電球などであってもよい。
【００４６】
各固定部材１１は、金属製であって伝熱性に優れている。各固定部材１１は、例えばアルミニウムから形成される。光源６が発光したときに発生した熱は、回路基板１３から対応する固定部材１１に伝わり、この固定部材１１から放散される。また、各固定部材１１の熱は、ケーシング３に伝わり、ケーシング３からも放散される。
【００４７】
図２および図３に示すように、ケーシング３の長さ方向Ｄ４の両端部のそれぞれには、キャップ１４，１５が取り付けられている。各キャップ１４，１５は、例えばねじ止めによりケーシング３に取り付けられる。
【００４８】
照明装置１の外殻は、ケーシング３と両キャップ１４，１５により構成されている。各固定部材１１、各回路基板１３、および各光源ケース１２は、対応するキャップ１４，１５で覆われている。
【００４９】
照明装置１を設置対象８に設置するにあたって、設置対象８には、図１に示すように、複数の取付具８３が設置面８２に沿って取り付けられる。これら複数の取付具８３は、ねじ止めにより、設置を予定しているケーシング３の長さ方向に並べて取り付けられる。
【００５０】
照明装置１は、ケーシング３の第１面３１に形成された掛止部３９を、各取付具８３に引っ掛け、この状態でケーシング３を各取付具８３にねじ止めすることで、設置対象８に取り付けられる。なお、照明装置１はケーシング３を直接設置対象８にねじ止めすることによって設置対象８に取り付けられてもよい。
【００５１】
図４に示す例では、吊戸棚８０の下面を設置面８２として、照明装置１が吊戸棚８０に取り付けられている。具体的にこの照明装置１は、図１に示す出光面２１を吊戸棚８０の下方かつ壁９０側に向けた状態で、吊戸棚８０の下面の前部（壁９０と反対側の部分）に取り付けられている。
【００５２】
図５に示す例では、キャビネット８１の側面を設置面８２として、照明装置１がキャビネット８１に取り付けられている。具体的にこの照明装置１は、図１に示す出光面２１をキャビネット８１の外側方および壁９０側に向けた状態で、キャビネット８１の前部（壁９０と反対側の部分）に取り付けられている。
【００５３】
照明装置１の各光源６が発光したときに、出光面２１から光路３５の内面５１，５２に当たることなく直接光出口部３６に至った光は、直接光として、設置面８２とは反対側でかつ後側の斜め方向に向かって出る。また、出光面２１から反射部４５に当たって光出口部３６に至った光は、反射光として、設置面８２とは反対側でかつ前側の斜め方向に向かって出る。つまり、照明装置１は、光路３５の内面５１，５２に当たることなく光出口部３６から出た直接光と、反射部４５に当たった後に光出口部３６から出た間接光とによって照明を行う。
【００５４】
以上説明した本実施形態の照明装置１は、以下の特徴を有している。照明装置１は、棒状の導光部材２と、導光部材２の長さ方向Ｄ１に延び、導光部材２が収納されたケーシング３と、導光部材２の長さ方向Ｄ１の端部に向けて光を発する光源６とを備える。ケーシング３の長さ方向と直交する一方向を前後方向とする。ケーシング３は、ケーシング３の長さ方向Ｄ４と前後方向Ｄ６との両者に直交する方向の片側の外面であり、設置対象８に沿って配置される第１面３１と、第１面３１とは反対側を向く外面である第２面３２とを備える。ケーシング３は、第２面３２に形成された光出口部３６と、光出口部３６に通じる光路３５とを備える。導光部材２は、導光部材２の長さ方向Ｄ１に沿う面であって、導光部材２の長さ方向Ｄ１の端部から導光部材Ｄ２に入った光を出す出光面２１を備える。出光面２１は、後方かつ第２面３２側を向き、光路３５を介して光出口部３６に臨む。光出口部３６の後縁部３７が、光出口部３６の前縁部３８よりも出光面２１から離れて位置する。光路３５の後側の内面５１に、出光面２１から出た光の一部を光出口部３６に向かって反射する反射部４５が設けられる。
【００５５】
この特徴を有する照明装置１は、光源６から発せられた光が、導光部材２の長さ方向Ｄ１の端部に入り、出光面２１から出る。この光の一部は、光路３５の内面５１，５２で反射することなく、直接光として、光出口部３６からケーシング３の外に出る。また、出光面２１から出た光の別の一部は、反射部４５で前方かつ第２面３２側に反射した後、反射光として、光出口部３６からケーシング３の外に出る。この場合、照明装置１の前側は、前記間接光によって明るく照らされる。また、照明装置１の前側に居る利用者の目には、前記直接光が入りにくい。このため、利用者は、導光部材２から出た光を眩しく感じにくい。
【００５６】
また、本実施形態の照明装置１の設置構造は、以下の特徴を有している。壁９０に沿って設けられた吊戸棚８０の下面に、照明装置１が出光面２１を下方かつ壁９０側に向けた状態で設けられる。
【００５７】
この特徴を有する照明装置１の設置構造では、光出口部３６から出た、前記直接光および前記間接光によって、吊戸棚８０の下側を明るく照らすことができる。また、吊戸棚８０の前側に居る利用者は、導光部材２から出た光を眩しく感じにくい。
【００５８】
なお、本実施形態の照明装置１および照明装置１の設置構造では、本発明の趣旨を逸脱しない範囲で適宜設計変更可能である。
【符号の説明】
【００５９】
Ｄ１  導光部材の長さ方向
Ｄ４  ケーシングの長さ方向
Ｄ５  ケーシングの厚さ方向（ケーシングの長さ方向および前後方向に直交する方向）
Ｄ６  前後方向
１  照明装置
２  導光部材
２１  出光面
３  ケーシング
３１  第１面
３２  第２面
３５  光路
３６  光出口部
３７  光出口部の後縁部
３８  光出口部の前縁部
４５  反射部
５１  光路の後側の内面（第１の内面）
６  光源
８  設置対象
８０  吊戸棚
９０  壁
【図１】
0006432835.tif 000002
【図２】
0006432835.tif 000003
【図３】
0006432835.tif 000004
【図４】
0006432835.tif 000005
【図５】
0006432835.tif 000006
【図６】
0006432835.tif 000007